(57)【要約】【課題】  正確に、かつ容易に管理対象物を一元管理する。【解決手段】  ＩＣタグ２は、管理対象物である電柱１に取り付けられる。ＰＤＡ３では、作業者により管理情報が入力される。入力された管理情報は、ＰＤＡ３に記憶される。また、ＰＤＡ３では、入力、記憶された管理情報を該当するＩＣタグ２に送信する。ＩＣタグ２は、受信した管理情報を記憶する。そして、ＰＤＡ３は、会社に戻った作業者により再び操作され、記憶した管理情報がサーバ４に転送される。サーバ４では、管理情報を基に管轄内の電柱１を一元管理する。【選択図】    図１
2006228117.tif 000002
【特許請求の範囲】
【請求項１】
管理対象物を管理する対象物管理システムであって、
前記管理対象物に関する管理情報を入力する入力手段と、前記入力手段から入力された管理情報を記憶する第１の記憶手段と、前記第１の記憶手段に記憶された管理情報を送信する第１の通信手段とを備える携帯端末と、
前記第１の通信手段から送信される管理情報を受信する第２の通信手段と、前記第２の通信手段により受信した管理情報を記憶する第２の記憶手段とを備え、前記管理対象物に取り付けられたＩＣタグと
を具備することを特徴とする対象物管理システム。
【請求項２】
前記携帯端末の第１の記憶手段に記憶されている管理情報を取得して記憶するサーバをさらに具備することを特徴とする請求項１記載の対象物管理システム。
【請求項３】
前記管理対象物は、電柱、配電盤、境界杭のいずれかであることを特徴とする請求項１または２記載の対象物管理システム。
【請求項４】
前記管理情報は、前記管理対象物が電柱である場合、少なくとも、各電柱に一意に割り振られた識別番号、ＩＣタグの識別番号、電柱の属性情報（電線の種類、位置情報、敷設日時）、保安用機器の属性情報（機器種類、名称、取付日時）、障害物の属性情報（隣接する樹木や建物などまでの距離、該距離を計測した計測日時）からなることを特徴とする請求項３記載の対象物管理システム。
【請求項５】
前記管理情報は、前記管理対象物が配電盤である場合、少なくとも、配電盤に一意に割り振られた識別番号、ＩＣタグの識別番号、配電盤の属性情報（埋設された電線の種類、機器の種類、名称、取付日時、状態（老朽化、陳腐化、破損など）、位置情報）からなることを特徴とする請求項３記載の対象物管理システム。
【請求項６】
前記管理情報は、前記管理対象物が境界杭である場合、少なくとも、境界杭に一意に割り振られた識別番号、ＩＣタグの識別番号、境界杭の属性情報（境界確定日、境界杭の位置情報）からなることを特徴とする請求項３記載の対象物管理システム。
【請求項７】
管理対象物を管理する対象物管理方法であって、
携帯可能な携帯端末から前記管理対象物に関する管理情報を入力し、入力された管理情報を携帯端末自体に記憶させるとともに、記憶された管理情報を、前記管理対象物に取り付けられたＩＣタグに送信し、ＩＣタグ自体に記憶させた後、前記携帯端末に記憶されている管理情報をサーバに送信して該サーバで一元管理することを特徴とする対象物管理方法。
【発明の詳細な説明】
【技術分野】
【０００１】
本発明は、対象物管理システムおよび対象物管理方法に関する。
【背景技術】
【０００２】
生活圏内には、電柱や、配電盤、境界杭など、長期にわたって管理しなければならない管理対象物がある。例えば、電柱には、電線（電力線、電話線、光ファイバなど）や、変圧器などの保安用機器などが取り付けられており、電力線、電話線、光ファイバなどが引込み線により住居やビル、工場などへ引き込まれている。住居やビル、工場などが新たに建設されたり、既存の設備を保守したりする場合などには、電柱の位置や、電線の経路などを把握しておかなければならない。電柱の場合には、個別の識別番号を付与し、その識別番号を地図上（地図データ）に書き込むことで、管理対象物の位置や、電線の引き回し経路などを管理している。なお電柱の情報を管理する技術として特許文献１が公開されている。
【特許文献１】特開２００５−１８２５０号公報
【発明の開示】
【発明が解決しようとする課題】
【０００３】
しかしながら、従来技術では、手入力で行うために、入力ミスが生じたり、データ入力、登録、修正などに非常に手間がかかるという問題があった。
【０００４】
本発明は、このような事情を考慮してなされたものであり、その目的は、正確に、かつ容易に管理対象物を一元管理することができる対象物管理システムおよび対象物管理方法を提供することにある。
【課題を解決するための手段】
【０００５】
上述した課題を解決するために、本発明は、管理対象物を管理する対象物管理システムであって、前記管理対象物に関する管理情報を入力する入力手段と、前記入力手段から入力された管理情報を記憶する第１の記憶手段と、前記第１の記憶手段に記憶された管理情報を送信する第１の通信手段とを備える携帯端末と、前記第１の通信手段から送信される管理情報を受信する第２の通信手段と、前記第２の通信手段により受信した管理情報を記憶する第２の記憶手段とを備え、前記管理対象物に取り付けられたＩＣタグとを具備することを特徴とする。
【０００６】
本発明は、上記の発明において、前記携帯端末の第１の記憶手段に記憶されている管理情報を取得して記憶するサーバをさらに具備することを特徴とする。
【０００７】
本発明は、上記の発明において、前記管理対象物は、電柱、配電盤、境界杭のいずれかであることを特徴とする。
【０００８】
本発明は、上記の発明において、前記管理情報は、前記管理対象物が電柱である場合、少なくとも、各電柱に一意に割り振られた識別番号、ＩＣタグの識別番号、電柱の属性情報（電線の種類、位置情報、敷設日時）、保安用機器の属性情報（機器種類、名称、取付日時）、障害物の属性情報（隣接する樹木や建物などまでの距離、該距離を計測した計測日時）からなることを特徴とする。
【０００９】
本発明は、上記の発明において、前記管理情報は、前記管理対象物が配電盤である場合、少なくとも、配電盤に一意に割り振られた識別番号、ＩＣタグの識別番号、配電盤の属性情報（埋設された電線の種類、機器の種類、名称、取付日時、状態（老朽化、陳腐化、破損など）、位置情報）からなることを特徴とする。
【００１０】
本発明は、上記の発明において、前記管理情報は、前記管理対象物が境界杭である場合、少なくとも、境界杭に一意に割り振られた識別番号、ＩＣタグの識別番号、境界杭の属性情報（境界確定日、境界杭の位置情報）からなることを特徴とする。
【００１１】
また、上述した課題を解決するために、本発明は、管理対象物を管理する対象物管理方法であって、携帯可能な携帯端末から前記管理対象物に関する管理情報を入力し、入力された管理情報を携帯端末自体に記憶させるとともに、記憶された管理情報を、前記管理対象物に取り付けられたＩＣタグに送信し、ＩＣタグ自体に記憶させた後、前記携帯端末に記憶されている管理情報をサーバに送信して該サーバで一元管理することを特徴とする。
【発明の効果】
【００１２】
この発明によれば、携帯端末においては、入力手段により、前記管理対象物に関する管理情報を入力し、入力された管理情報を第１の記憶手段に記憶し、記憶された管理情報を第１の通信手段により送信し、前記管理対象物に取り付けられたＩＣタグにおいては、第２の通信手段により、前記第１の通信手段から送信される管理情報を受信し、前記第２の通信手段により受信した管理情報を第２の記憶手段に記憶する。したがって、正確に、かつ容易に管理対象物を管理することができるという利点が得られる。
【００１３】
また、本発明によれば、前記携帯端末の第１の記憶手段に記憶されている管理情報を取得してサーバに記憶する。したがって、正確に、かつ容易に管理対象物を一元管理することができるという利点が得られる。
【００１４】
また、本発明によれば、前記管理対象物は、電柱、配電盤、境界杭のいずれかとする。したがって、管理が煩雑になりやすい管理対象物であっても、正確に、かつ容易に管理対象物を管理することができるという利点が得られる。
【００１５】
また、本発明によれば、前記管理対象物が電柱である場合、前記管理情報を、少なくとも、各電柱に一意に割り振られた識別番号、ＩＣタグの識別番号、電柱の属性情報（電線の種類、位置情報、敷設日時）、保安用機器の属性情報（機器種類、名称、取付日時）、障害物の属性情報（隣接する樹木や建物などまでの距離、該距離を計測した計測日時）とする。したがって、管理が煩雑になりやすい管理対象物であっても、正確に、容易に、かつ詳細に一元管理することができるという利点が得られる。
【００１６】
また、本発明によれば、前記管理対象物が配電盤である場合、前記管理情報を、少なくとも、配電盤に一意に割り振られた識別番号、ＩＣタグの識別番号、配電盤の属性情報（埋設された電線の種類、機器の種類、名称、取付日時、状態（老朽化、陳腐化、破損など）、位置情報）とする。したがって、管理が煩雑になりやすい管理対象物であっても、正確に、容易に、かつ詳細に一元管理することができるという利点が得られる。
【００１７】
また、本発明によれば、前記管理対象物が境界杭である場合、前記管理情報を、少なくとも、境界杭に一意に割り振られた識別番号、ＩＣタグの識別番号、境界杭の属性情報（境界確定日、境界杭の位置情報）とする。したがって、管理が煩雑になりやすい管理対象物であっても、正確に、容易に、かつ詳細に一元管理することができるという利点が得られる。
【発明を実施するための最良の形態】
【００１８】
以下、本発明の一実施形態による対象物管理システムを、図面を参照して説明する。図１は、本発明の実施形態による対象物管理システムの構成を示す模式図である。図において、電柱１、１、…、１には、各々、ＩＣタグ２、２、…、２が取り付けられている。ＩＣタグ２は、後述するＰＤＡ３から送信される管理情報を記憶するようになっている。ＰＤＡ３は、作業者によって携帯され、該作業者によって入力される、電柱１に関する管理情報を記憶するとともに、該当ＩＣタグ２に送信するようになっている。ＩＣタグ２とＰＤＡ３とは、ＲＦ−ＩＤ技術によりデータを送受信する。また、ＰＤＡ３は、作業者が現場から戻ってくると、記憶している管理情報（複数のＩＣタグ２に対するものであってもよい）を後述するサーバ４に送信するようになっている。サーバ４は、現場から戻ってきた作業者が携帯するＰＤＡ３に記憶されている管理情報を取得し、管轄内の電柱１の管理情報を一元管理する。なお、ＰＤＡ３とサーバ４とは、ＲＦ−ＩＤ技術を用いてデータを送受信してもよいし、ＰＤＡ３に外部記録媒体を着脱可能とし、該外部記録媒体を介して管理情報を授受するようにしてもよい。
【００１９】
次に、図２は、上述したＩＣタグ２、ＰＤＡ３およびサーバの略構成を示すブロック図である。ＩＣタグ２は、通信部２−１、記憶部２−２および制御部２−３から構成されている。通信部２−１は、ＲＦ−ＩＤ技術によりＰＤＡ３との間でデータを送受信するためのものである。記憶部２−２は、通信部２−１によりＰＤＡ３から受信した、自身の管理情報を記憶する。制御部２−３は、上記通信部２−１、記憶部２−２など、各部の動作を制御する。
【００２０】
ＰＤＡ３は、表示部３−１、入力部３−２、通信部３−３、記憶部３−４および制御部３−５から構成されている。表示部３−１は、作業者に対して、動作状況や入力した管理情報などを表示する。入力部３−２は、管理情報を入力するためのものである。通信部３−３は、ＲＦ−ＩＤ技術によりＩＣタグ２またはサーバ４との間でデータを送受信するためのものである。記憶部３−４は、入力部３−２から入力された管理情報を記憶する。制御部３−５は、上記表示部３−１、入力部３−２、通信部３−３および記憶部３−４など、各部の動作を制御する。サーバ４は、図示しないＣＰＵやメモリ、表示部、入力部、外部記憶装置などからなり、ＰＤＡ３からの管理情報を外部記憶装置などの大容量記録媒体に記憶して一元管理する。
【００２１】
次に、図３は、電柱を管理対象物とした場合における、上述したＰＤＡ３またはサーバ４に記憶される管理情報の一例を示す概念図である。管理対象物が電柱である場合には、管理情報は、少なくとも、各電柱に一意に割り振られた識別番号、ＩＣタグの識別番号、電柱の属性情報（電線の種類、位置情報（緯度・経度、住所など）、敷設日時）、保安用機器の属性情報（機器種類、名称、取付日時）、障害物の属性情報（隣接する樹木や建物などまでの距離、該距離を計測した計測日時）からなる。
【００２２】
また、図示しないが、管理対象物が配電盤である場合には、管理情報は、少なくとも、配電盤に一意に割り振られた識別番号、ＩＣタグの識別番号、配電盤の属性情報（埋設された電線の種類、機器の種類、名称、取付日時、状態（老朽化、陳腐化、破損など）、位置情報（緯度・経度、住所など））からなる。
【００２３】
また、図示しないが、管理対象物が境界杭である場合には、管理情報は、少なくとも、境界杭に一意に割り振られた識別番号、ＩＣタグの識別番号、境界杭の属性情報（境界確定日、境界杭の位置情報（緯度・経度、住所など））からなる。
【００２４】
次に、本実施形態の動作について説明する。
まず、ＩＣタグ２とＰＤＡ３との間でのデータ送受信動作について説明する。ここで、図４は、本実施形態による、ＩＣタグ２とＰＤＡ３との間でのデータ送受信動作を説明するためのフローチャートである。
【００２５】
まず、作業者は、電柱１の敷設時にＩＣタグ２を取り付け、携帯しているＰＤＡ３に上述した管理情報を入力する（ステップＳ１０）。このとき、入力される管理情報は、ＰＤＡ３の表示部３―２に表示され、記憶部３−４に記憶される（ステップＳ１２）。次に、作業者の指示により、入力された管理情報を通信部３−３により該当するＩＣタグ２に送信される（ステップＳ１４）。そして、管理情報が全て送信されたか否かを判断し（ステップＳ１６）、管理情報が全て送信されると当該処理を終了する。
【００２６】
一方、ＩＣタグ２では、ＰＤＡ３から管理情報が送信されてくると、自身の管理情報（ＩＣタグの識別番号で判断）を通信部２−１で受信し（ステップＳ２０）、記憶部２−２に記憶する（ステップＳ２２）。そして、全ての管理情報を受信したか否かを判断し（ステップＳ２４）、全ての管理情報を受信すると当該処理を終了する。
【００２７】
上述した動作により、ＰＤＡ３に入力された管理情報は、自身に記憶されるとともに、電柱１に取り付けられたＩＣタグ２にも記憶される。ＩＣタグ２に記憶されている管理情報は、後日、いつでも、ＰＤＡ３によって読み出すことができる。
【００２８】
次に、ＰＤＡ３とサーバ４との間でのデータ送受信動作について説明する。ここで、図５は、本実施形態による、ＰＤＡ３とサーバ４との間でのデータ送受信動作を説明するためのフローチャートである。まず、上述した作業が終了すると、作業者は、会社（営業所）に戻り、携帯したＰＤＡ３を操作して、ＩＣタグ２に登録した新規の管理情報をサーバ４に送信する（ステップＳ３０）。そして、管理情報が全て送信されたか否かを判断し（ステップＳ３２）、管理情報が全て送信されると当該処理を終了する。
【００２９】
一方、サーバ４では、ＰＤＡ３から管理情報が送信されてくると、送信されてくる管理情報受信し（ステップＳ４０）、図示しない外部記憶装置に記憶する（ステップＳ４２）。そして、全ての管理情報を受信したか否かを判断し（ステップＳ４４）、全ての管理情報を受信すると当該処理を終了する。サーバ４では、管理情報を基に管轄内の電柱１を一元管理する。
【００３０】
上述した動作により、入力ミスを防止し、データ入力、登録、修正などを短時間で行うことができる。また、管理情報を容易に参照することができるので、管理・保守などにおける作業を簡素化することができる。なお、管理情報は、電柱の位置情報に従って、地図データに関連付けられてもよい。
【００３１】
なお、上述した実施形態においては、ＰＤＡ３、サーバ４などは、コンピュータシステム内で実行される。そして、上述したＰＤＡ３、サーバ４による一連の処理の過程は、プログラムの形式でコンピュータ読み取り可能な記録媒体に記憶されており、このプログラムをコンピュータが読み出して実行することによって、上記処理が行われる。すなわち、ＰＤＡ３、サーバ４における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
【００３２】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００３３】
【図１】本発明の実施形態による対象物管理システムの構成を示す模式図である。
【図２】ＩＣタグ２、ＰＤＡ３およびサーバの略構成を示すブロック図である。
【図３】電柱を管理対象物とした場合における、上述したＰＤＡ３またはサーバ４に記憶される管理情報の一例を示す概念図である。
【図４】本実施形態による、ＩＣタグ２とＰＤＡ３との間でのデータ送受信動作を説明するためのフローチャートである。
【図５】本実施形態による、ＰＤＡ３とサーバ４との間でのデータ送受信動作を説明するためのフローチャートである。
【符号の説明】
【００３４】
１  電柱（管理対象物）
２  ＩＣタグ
２−１  通信部（第２の通信手段）
２−２  記憶部（第２の記憶手段）
２−３  制御部
３  ＰＤＡ
３−１  表示部
３−２  入力部（入力手段）
３−３  通信部（第１の通信手段）
３−４  記憶部（第１の記憶手段）
３−５  制御部
４  サーバ
【図１】
2006228117.tif 000003
【図２】
2006228117.tif 000004
【図３】
2006228117.tif 000005
【図４】
2006228117.tif 000006
【図５】
2006228117.tif 000007